(57)【要約】【課題】被検体の目的位置を容易に透過画像の視野に入れることが可能なＸ線透視検査装置を提供する。【解決手段】Ｘ線源１とＸ線検出器３の間に配置されたテーブル５面をｘｙ方向に移動させる移動機構６と、テーブル５をＸ線源１とＸ線検出器３の方向に移動させる拡大率変更手段７と、所定の拡大率において複数の移動位置で得た透過画像から一つの合成透過画像を形成する画像合成手段１１と、表示部９に表示された合成透過画像上で位置を指定する位置指定手段１２と、指定された位置が透過画像に入るよう移動機構６を制御する移動制御手段１３を備え、所定の最低拡大率で視野に入りきらない被検体４に対して全体を含む所望の範囲の合成透過画像を得、合成透過画像上で所望の位置を指定することで、容易にこの位置が視野に入る透過画像を得る。【選択図】      図１
2004163279.tif 000002
【特許請求の範囲】
【請求項１】
Ｘ線源と、該Ｘ線源から発生し被検体を透過したＸ線を検出する２次元のＸ線検出器と、該Ｘ線検出器で得られた透過画像を表示する表示部を有するＸ線透視検査装置において、
前記Ｘ線源と前記Ｘ線検出器の間に略平面状の被検体を位置決めしてその略平面に沿って被検体上の前記透過画像の視野を相対的に移動させる移動機構と、
該Ｘ線源とＸ線検出器と被検体との間にＸ線の略透過方向の相対的移動を与え前記視野の大きさを変更する拡大率変更手段と、
所定の拡大率において、複数の前記移動位置で得た透過画像から一つの合成透過画像を形成する画像合成手段と、
前記表示部に表示された前記合成透過画像上で位置を指定する位置指定手段と、
前記指定された位置が透過画像に入るよう前記移動機構を制御する移動制御手段とより成ることを特徴とするＸ線透視検査装置。
【請求項２】
前記合成透過画像の縦と横の範囲を前記所定の拡大率における視野の縦寸法と横寸法それぞれの整数倍で入力する入力手段を有し、
前記画像合成手段は、前記所定の拡大率において、前記入力手段を介して入力された該範囲に対し前記視野の縦寸法と横寸法それぞれに略一致する移動単位で縦と横に行列をなす移動位置に順次移動を行ない、各位置で透過画像を撮影し、各透過画像を合成して前記合成透過画像を作成することを特徴とする請求項１記載のＸ線透視検査装置。
【請求項３】
前記合成透視画像の縦と横の範囲を入力する入力手段を有し、
前記画像合成手段は、前記所定の拡大率において、視野の縦寸法と横寸法それぞれに略一致する移動単位で縦と横に行列をなす移動位置に順次移動を行ない、各位置で透過画像を撮影しながら、縦と横それぞれ入力された上記範囲を超えたときに移動を打ち切り、各透過画像を合成して前記合成透過画像を作成することを特徴とする請求項１記載のＸ線透視検査装置。
【請求項４】
前記画像合成手段は、透過画像から被検体が透過画像に入る移動範囲を判定してこの移動範囲内で、前記所定の拡大率において視野の縦寸法と横寸法それぞれに略一致する移動単位で縦と横に行列をなす移動位置に順次移動を行ない、各位置で透過画像を撮影し、各透過画像を合成して前記合成透過画像を作成することを特徴とする請求項１記載のＸ線透視検査装置。
【請求項５】
前記所定の拡大率において、透過画像上で模様を有する較正板に対し、２つの透過画像を縦あるいは横に接するように、また、接した境の辺に前記模様が交わるように撮影し、この２つの透過画像を並べて表示し前記模様が連続してつながるように移動位置を調整することで縦あるいは横に対する前記移動単位を求めることを特徴とする請求項２乃至４のいずれかに１項に記載のＸ線透視検査装置の較正方法。
【請求項６】
前記模様は少なくとも上記境の辺に略４５°で交わり互いに略直交する２本の略直線を含む請求項５記載のＸ線透視検査装置の較正方法。
【請求項７】
前記合成透過画像のかわりに格子図形を用いる請求項１記載のＸ線透視検査装置。
【請求項８】
前記合成透過画像のかわりに被検体の図面あるいは写真を用いる請求項１記載のＸ線透視検査装置。
【請求項９】
前記画像合成手段は前記合成透過画像に前記移動の履歴を重ねた前記合成透過画像を作成することを特徴とする請求項１乃至４あるいは７あるいは８のいずれか１項に記載のＸ線透視検査装置。
【発明の詳細な説明】
【０００１】
【発明の属する技術分野】
本発明は非破壊で被検体内を検査するＸ線透視検査装置に関し、特に電子部品が実装された基板にＸ線を照射してその内部を検査するＸ線透視検査装置及びＸ線透視検査装置の較正方法に関する。
【０００２】
【従来の技術】
電子部品が実装された基板などの内部の状態を検査するＸ線透視検査装置は、Ｘ線を出射するＸ線管と、このＸ線管から出射されたＸ線を２次元の分解能で検出するＸ線検出器との間に電子部品が実装された基板である被検体を配置して、この被検体の透過画像を得るものである。
【０００３】
このＸ線透視検査装置は、高分解能を得るためにＸ線の焦点が数μｍ程度のマイクロフォーカスＸ線管を用い、このＸ線焦点に被検体を近づけて狭い範囲の透過画像を十分な拡大率で撮影するようにしている。また、被検体をＸ線焦点から離し、拡大率を下げることで広い範囲の透過画像も得ることができるようにしている。
【０００４】
【特許文献１】
特開平６−３３１５７１号公報
【０００５】
【特許文献２】
特開２０００−９７８８１号公報
【０００６】
【特許文献３】
特開２００１−２５５２８６号公報
【０００７】
【発明が解決しようとする課題】
このような従来のＸ線透視検査装置において、例えば基板にＩＣ（半導体集積回路）を接合させるＢＧＡ（Ｂａｌｌ  Ｇｒｉｄ  ａｒｒａｙ：半田ボールの格子状配列）を検査する場合において、基板に多数個接合されたＩＣの内、あらかじめ定めた目的とするＩＣをＸ線透視検査装置のＸ線視野に順次収め、この収めたＩＣを拡大撮影してＢＧＡを目視検査し、ＢＧＡの中に疑われる半田ボールがあった場合、この半田ボールをさらに拡大して詳しく検査することを繰り返すが、視野を手動スイッチで移動させなければならないことや、１つのＩＣから次のＩＣへ、又１つの半田ボールから次の半田ボールへ移動するとき、一旦拡大率を下げる手動スイッチ操作を行う必要があるので操作が煩わしいという問題がある。
【０００８】
すなわち、次のＩＣに移動する場合、拡大率を一旦下げて視野を広げ、次の目的とするＩＣを視野に入れてそのＩＣへ移動させ、目的となるＩＣ全体が収まる拡大率に再設定してこのＩＣを検査する。また、次の半田ボールへ移動する場合も同様に、拡大率を一旦下げて次の半田ボールを視野に入れて、移動させ、再び拡大率を上げる、という操作を繰り返さなければならない。
【０００９】
特に、通常、１枚の基板全体をひとつの透過画像に収めることができないため、ひとつの透過画像の範囲を超える移動は移動方向等の見当がつけ難く、ＩＣを取り違えるという問題も生じていた。
【００１０】
本発明は、被検体の目的位置を容易に透過画像の視野に入れることが可能なＸ線透視検査装置及びＸ線透視検査装置の較正方法を提供することを目的とする。
【００１１】
【課題を解決するための手段】
上記目的を達成するため、請求項１記載の発明は、Ｘ線源と、該Ｘ線源から発生し被検体を透過したＸ線を検出する２次元のＸ線検出器と、該Ｘ線検出器で得られた透過画像を表示する表示部を有するＸ線透視検査装置において、前記Ｘ線源と前記Ｘ線検出器の間に略平面状の被検体を位置決めしてその略平面に沿って被検体上の前記透過画像の視野を相対的に移動させる移動機構と、該Ｘ線源とＸ線検出器と被検体との間にＸ線の略透過方向の相対的移動を与え前記視野の大きさを変更する拡大率変更手段と、所定の拡大率において、複数の前記移動位置で得た透過画像から一つの合成透過画像を形成する画像合成手段と、前記表示部に表示された前記合成透過画像上で位置を指定する位置指定手段と、前記指定された位置が透過画像に入るよう前記移動機構を制御する移動制御手段を有することを要旨とする。
【００１２】
この構成により、所定の拡大率（最低拡大率）では視野に入りきらない被検体に対しても、全体を含む所望の範囲の合成透過画像が得られ、更にこの合成透過画像上の所望の位置を指定することで容易にこの位置が視野に入った（拡大）透過画像が得られる。また、指定を繰り返すことで、次々と所望の透過像が得られる。尚ここでＸ線源とは、Ｘ線ビームを出力するＸ線管のことであり、移動機構とはｘ、ｙ機構を指す。また拡大率変更手段とは被検体をＸ線管に近づけたり遠ざけたりする移動が可能なｚ機構を指している。
【００１３】
上記目的を達成するため、請求項２記載の発明は、請求項１記載のＸ線透視検査装置において前記合成透過画像の縦と横の範囲を前記所定の拡大率における視野の縦寸法と横寸法それぞれの整数倍で入力する入力手段を有し、前記画像合成手段は、前記所定の拡大率において、前記入力手段を介して入力された該範囲に対し前記視野の縦寸法と横寸法それぞれに略一致する移動単位で縦と横に行列をなす移動位置に順次移動を行ない、各位置で透過画像を撮影し、各透過画像を合成して前記合成透過画像を作成することを要旨とする。
【００１４】
この構成により、合成透過画像の範囲が視野寸法の整数倍で入力され、その入力値で移動範囲が決まる。この移動範囲に対する移動単位を視野寸法と合わせることで、得られた透過画像を縦横につないで、継ぎ目のあった合成透過画像が得られる。
【００１５】
上記目的を達成するため、請求項３記載の発明は、請求項１記載のＸ線透視検査装置において前記合成透視画像の縦と横の範囲を入力する入力手段を有し、前記画像合成手段は、前記所定の拡大率において、視野の縦寸法と横寸法それぞれに略一致する移動単位で縦と横に行列をなす移動位置に順次移動を行ない、各位置で透過画像を撮影しながら、縦と横それぞれ入力された上記範囲を超えたときに移動を打ち切り、各透過画像を合成して前記合成透過画像を作成することを要旨とする。
【００１６】
この構成により、合成透過画像の範囲が入力され、移動単位の整数倍値でその範囲をこえる移動位置が決まる。移動単位を視野寸法と合わせることで、得られた透過画像を縦横につないで、継ぎ目のあった合成透過画像が得られる。
【００１７】
上記目的を達成するため、請求項４記載の発明は、請求項１記載のＸ線透視検査装置において前記画像合成手段は、透過画像から被検体が透過画像に入る移動範囲を判定してこの移動範囲内で、前記所定の拡大率において視野の縦寸法と横寸法それぞれに略一致する移動単位で縦と横に行列をなす移動位置に順次移動を行ない、各位置で透過画像を撮影し、各透過画像を合成して前記合成透過画像を作成することを要旨とする。
【００１８】
この構成により、被検体の縁を自動判定することで、被検体（全体）の範囲が判定され、この範囲内が移動単位おきに撮影され、被検体（全体）を含んだ合成透過画像が得られる。移動単位を視野寸法と合わせることで、得られた透過画像を縦横につないで、継ぎ目のあった合成透過画像が得られる。
【００１９】
上記目的を達成するため、請求項５記載の発明は、請求項２乃至４のいずれか１項に記載のＸ線透視検査装置において、前記所定の拡大率において、透過画像上で模様を有する較正板に対し、２つの透過画像を縦あるいは横に接するように、また、接したの境の辺に前記模様が交わるように撮影し、この２つの透過画像を並べて表示し前記模様が連続してつながるように移動位置を調整することで縦あるいは横に対する前記移動単位を求めることを要旨とする。
【００２０】
この方法により、合成透過画像の隣り合う透過画像の境が連続してつながるような移動単位を、直接移動させて継ぎ目を確認して求めることができる。
【００２１】
上記目的を達成するため、請求項６記載の発明は、請求項５記載のＸ線透視検査装置の較正方法において、前記模様は少なくとも上記境の辺に略４５°で交わり互いに略直交する２本の略直線を含むことを要旨とする。
【００２２】
この方法により、模様が境に４５°で交わるので移動単位が縦横方向とも精度よく求められる。
【００２３】
上記目的を達成するため、請求項７記載の発明は、請求項１記載のＸ線透視検査装置において、前記合成透過画像のかわりに格子図形を用いることを要旨とする。
【００２４】
この構成により、（グラフ用紙のような）格子図形を表示させ、この上で位置指定を行なうことができるので、本装置においては合成透過画像用の撮影を省略することができる。
【００２５】
上記目的を達成するため、請求項８記載の発明は、請求項１記載のＸ線透視検査装置において、前記合成透過画像のかわりに被検体の図面あるいは写真を用いることを要旨とする。
【００２６】
位置指定手段が処理できる形式の被検体の図面あるいは写真がある場合は、この構成により、被検体の図面あるいは写真を表示させ、この上で位置指定を行なうことができるので、合成透過画像用の撮影を省略することができる。
【００２７】
前記目的を達成するため、請求項９記載の発明は、請求項１，２，３，４，７，８記載のいずれか１項に記載のＸ線透視検査装置において、前記画像合成手段は前記合成透過画像に前記移動の履歴を重ねた前記合成透過画像を作成することを要旨とする。
【００２８】
この構成により、合成透過画像に前記移動の履歴が重ねて表示させることができるので、検査の進行状態を良く把握することができ、更に記録として保存することもできる。
【００２９】
【発明の実施の形態】
以下、本発明を適用した実施の形態について図面を用いて説明する。
【００３０】
（第１の実施の形態）
図１は、本発明の第１の実施の形態に係るＸ線透視検査装置の概略構成図である。図１に示すように、Ｘ線透視検査装置は、Ｘ線を放射するＸ線管１と、このＸ線管１に対向配置されるＸ線検出器３と、Ｘ線管１とＸ線検出器３の配置方向に対して垂直に配置される平面状のテーブル５と、このテーブル５を平面方向に移動させるｘｙ機構６と、このテーブル５を平面方向に対して垂直な方向に移動させるｚ機構７と、これらｘｙ機構６及びｚ機構７等を制御すると共に、Ｘ線検出器３で撮影された透過画像を処理するデータ処理部８と、データ処理部８で処理された画像を表示する表示部９とを少なくとも備えている。
【００３１】
Ｘ線管１とＸ線検出器３は、それぞれフロアにより支持されており、Ｘ線焦点Ｆから発生したＸ線ビーム２が２次元分解能を有するＸ線検出器３で検出されるように配置されている。ここでＸ線管１には、数μｍのＸ線焦点Ｆを備えたマイクロフォーカスＸ線管を用いる。またＸ線検出器３には、２次元分解能を有するＸ線Ｉ．Ｉとテレビカメラの組み合わせを用いるか、若しくはＸ線フラットパネルセンサを用いる。尚、Ｘ線検出器３で検出された透過画像はデータ処理部８に送られ、デジタル画像に変換された後に画像処理される。処理後の画像あるいは未処理のライブ画像（リアルタイム透過画像）は表示部９に表示される。
【００３２】
被検体４（基板）は、テーブル５上に載置されており、Ｘ線ビーム２中に位置決めされる。この位置決めは、テーブル５に備えられているｘｙ機構６及びｚ機構７により制御される。
【００３３】
ｘｙ機構６は、テーブル５をテーブル面に沿って移動させ、被検体４を透過画像の視野１４に対して移動させる機能を有している。
【００３４】
ｚ機構７は、テーブル５とｘｙ機構６をＸ線ビーム２の放射方向（図１において上下方向に昇降する。）に移動させ、被検体４の撮影倍率（拡大率）を変更させる機能を有している。
【００３５】
データ処理部８と表示部９は、通常の表示ディスプレイを含むコンピュータであり、ＣＰＵ、メモリ、ディスク、インターフェース、キーボード、マウス等よりなると共に各種ソフトウエアを記憶している。
【００３６】
操作者は、入力手段（図示せず）を介してデータ処理部８と表示部９に指令を出し、Ｘ線条件設定、Ｘ線のＯＮ／ＯＦＦ、機構部手動操作、透過画像の観察、記録、画像処理などを行なう。具体的には、データ処理部８からの指令で機構制御部（図示せず）によりｘｙ機構６とｚ機構７が制御され、同指令によりＸ線制御部（図示せず）によりＸ線管１の管電圧、管電流やＸ線ＯＮ／ＯＦＦが制御される。
【００３７】
尚、データ処理部８はソフトウエアの機能ブロックとして、合成範囲入力部１０、画像合成部１１、位置指定部１２、移動制御部１３などを有している。
【００３８】
次に、第１の実施の形態に係るＸ線透視検査装置の作用について説明する。
【００３９】
透過画像撮影の一般的な作用としては、まず、テーブル５に被検体４を載せ、続いて、Ｘ線ビーム２の放射を開始し、被検体４を透過して投影された被検体４の透過画像をＸ線検出器３で検出し、これをデータ処理部８に送信する。データ処理部８では、検出された透過画像をデジタル画像に変換し、ライブ画像（リアルタイム透過画像）あるいは処理後の画像を表示部９に表示する。
【００４０】
この透過画像の撮影において、１つの被検体に対して最初に被検体４の全体像を得るための「合成画像作成」を行い、続いてこの合成画像をもとに「移動と検査」を行い詳細な欠陥部の検査を行う。またＸ線透視検査装置を使用する前に、一度「較正」行なうことで「合成画像作成」時に用いる移動単位を求める。
【００４１】
以下、「合成画像作成」、「移動と検査」及び「較正」の順に具体的な作用を説明する。尚、「合成画像作成」は、合成範囲入力部１０と画像合成部１１が行なう処理である。
【００４２】
図２は、表示部９に表示される合成画像作成ウインドウの表示一例を示す図である。
【００４３】
操作者は、入力手段を介してデータ処理部８に合成画像作成ウィンドウの表示命令を入力する。すると命令を受けたデータ処理部８は、表示部９に図２に示した合成画像作成ウィンドウを表示する。
【００４４】
操作者は、表示された合成画像作成ウィンドウの入力指示に従い合成範囲を入力する。ここでウィンドウ内の「全エリア」を選択すると、テーブル５の全面が選択され、「指定エリア（サイズ）」を選択すると、縦サイズと横サイズが最低倍率（＝最低拡大率）での視野の縦寸法と横寸法それぞれの整数倍で入力可能となる。縦寸法及び横寸法を入力するときは、入力表示部の三角印をマウス等を用いてクリックし、サイズ値（ｍｍ）を飛び飛びで変更させて決定する。これにより縦横の倍数ｎ×ｍが決まる。
【００４５】
次に、「開始」キーをクリックすると、この開始信号を受けた合成範囲入力部１０は、ｚ機構７に対して被検体４が最低倍率で撮影されるように被検体４とＸ線管１を最大限離すように指令を出し、自動的に被検体４が最低倍率で設定される。またこの設定が完了すると、Ｘ線管１からＸ線ビーム２が出力され、表示部９に被検体４のライブ画像が表示される。
【００４６】
続いて操作者は、表示部９のライブ画像ウインドウに表示されているライブ画像を観察しながら視野１４に被検体４の左上部分が丁度収まるようにｘｙ方向に移動させながら始点設定を行なう。
【００４７】
つまり、例えばキーボードの矢印キーを操作することで、この操作量に応じてテーブル５がｘｙ移動しライブ画面上に移動状態が逐次表示されることを利用して、操作者が被検体４の左上部分がライブ画面に収まるように始点設定を行う。そして始点設定が終了すると「続行」キー（図示せず）をクリックして次画面へ進む。
【００４８】
画像合成部１１は、設定されたこの位置を始点（左上点）として、最低倍率での視野の縦寸法と横寸法を縦横それぞれの移動単位として規定し、ｎ×ｍの行列をなす移動位置に順次移動を行ない、各位置で透過画像を撮影して、この撮影された各透過画像を間引き縮小して、縦横につなぎ合わせて合成透過画像を作成する。
【００４９】
間引きの個数としては、ｎとｍの大きい方を間引き数νとして、縦横ともν個に１個を残すように間引きすると元の画像を超えない最大の合成透過画像を作ることができるが、必ずしもこの通りにする必要はない。このようにして作成された合成透過画像は記憶用ディスク等に保存する。
【００５０】
「移動と検査」の移動は、位置指定部１２と移動制御部１３が行なう処理である。
【００５１】
図３は、表示部９に表示される合成画像ウインドウの表示一例を示す図である。
【００５２】
図３に示すように、合成画像ウィンドウには合成透過画像２０、「履歴表示／非表示」キー、「履歴クリア」キー及び「閉じる」キーが表示されている。
【００５３】
操作者は、表示された合成画像ウィンドウ上で検査位置を入力する。具体的には、合成透過画像２０上で（マウス等を操作して）カーソル２１を移動させて、希望する位置を指定しダブルクリックする。これによりダブルクリックされた位置座標が移動制御部１３に出力され、移動制御部１３が、クリックされた位置座標をもとにｘｙ機構６を制御して、指定された位置が視野１４の中央に来るように移動させる。
【００５４】
操作者は、このｘｙ位置でｚ機構７を手動操作して拡大率を選び、ライブ画像ウィンドウに透過画像を表示させて検査を行なう。このとき合成画像ウィンドウとライブ画像ウィンドウは縮小して並列表示してもよいし、前後に重ねて必要な方を手前切替するようにしてもよい。尚、拡大率の変更、視野１４の手動移動及びＸ線条件変更は別の手動操作ウィンドウあるいはキーボードあるいは別に設けた操作パネルから行うものとする。
【００５５】
次に、合成画像ウィンドウに戻り、次に注目すべき位置を指定してダブルクリックする。すると、同じ拡大率のまま、指定の位置に画像が自動的に移動するので、ライブ画像ウィンドウに自動的にこの位置の透過画像が現れる。このように、合成透過画像２０上で位置指定するだけで次々と検査することができる。
【００５６】
合成透過画像２０上には指定した位置の履歴と現在位置が、例えば＋印や四角印で表示される。この履歴の表示は非表示に切替ることも可能であり、また履歴をクリアすることも可能である。尚、合成透過画像２０は履歴も含めて記憶用ディスクに保存され、検査の記録としても用いることができる。
【００５７】
「較正（キャリブレーション）」は、Ｘ線透視検査装置を使用する前に一度行っておく処理である。主にＸ線透視検査装置の製造時、又、Ｘ線光学に影響する修理・調整後や被検体４の厚みが変わったときなどに行なうが、定期的に行なってもよい。尚、「較正」はデータ処理部８中の較正部（図示せず）で行われる。
【００５８】
この較正は、縦横それぞれの移動単位、すなわち最低倍率での視野の縦寸法と横寸法を求めて記憶する較正である。
【００５９】
図４は、較正に用いる較正板の一例を示す図である。この較正板２４は、プラスチック等の材質からなるベース板２５の上に薄い銅板２６，２７を貼ったものである。この銅板２６，２７は直角二等辺三角形に切り抜かれたものであり、この三角形の銅板２６，２７の等しい２つの辺はベース板２５の辺と約４５°をなして接着されている。ベース板２５の厚さは、テーブル５に載せたときに、銅板２６，２７の高さが被検体４の平均的な検査面高さと略同じになるような厚さにする。
【００６０】
次に、この較正板２４を用いた較正方法を説明する。
【００６１】
まず、横方向の移動単位を求めるため、操作者は、較正板２４をテーブル５に載せ、横方向較正ウィンドウを開く。
【００６２】
図５は、表示部９に表示される横方向較正ウィンドウの表示一例を示す図である。図５に示すように、横方向較正ウィンドウには第１の画像２８と第２の画像２９、更に「開始」キー、「第１画像セット」キー、「第２画像セット」キー及び「閉じる」キーが表示されている。
【００６３】
操作者は、表示されたウィンドウの「開始」キーをクリックする。すると、この開始信号を受けた画像処理部８は、ｚ機構７に対して被検体４が最低倍率で撮影されるように較正板２４とＸ線管１を最大限離すように指令を出し、これにより自動的に較正板２４が最低倍率で設定される。この設定が完了すると、Ｘ線管１からＸ線ビーム２が出力され、第１の画像２８に較正板２４のライブ画像が表示される。
【００６４】
次いで操作者は、第１の画像２８（ライブ画像）を観察しながら較正板２４の銅板（の像）２７ａの２辺が画面の右縁を横切るようにｘｙ移動させ、「第１画像セット」キーをクリックする。すると第１の画像２８が固定され、第２の画像２９にライブ画像が表示される。
【００６５】
つまり、「第１画像セット」キーをクリックすると、その瞬間に第１の画像２８の更新が停止され、そのまま静止画像が第１の画像２８に表示される。一方ライブ画像は、第２の画像２９に移り、そのまま表示され続ける。
【００６６】
次に操作者は、第２の画像２９に表示されている銅板（の像）２７ｂの２辺が第１の画像２８とつながるようにｘｙ移動させる。
【００６７】
つまり、例えばキーボードの矢印キーを操作して、この操作量に応じて制御されるテーブル５をｘｙ方向に移動させ、ライブ画面上に移動状態を確認しながら銅板２７ｂの２辺が第１の画像２８とつながるように調節を行う。
【００６８】
図６は、第１の画像２８に第２の画像２９をつなぐためのｘｙ移動方法を示す図である。まず、第１の画像２８と第２の画像２９に表示されている画像が図６（ａ）のようにずれている場合は、ｘ方向のみ移動させ、次いで図６（ｂ）のようにずれている場合はｙ方向のみ移動させて、図６（ｃ）に示すように、画像の境界線で第１の画像２８の銅板２７ａの輪郭と第２の画像２９の銅板２７ｂの輪郭とを一致させることで移動を完了する。
【００６９】
この状態で「第２画像セット」キーをクリックする。これにより第２の画像２９が固定されるとともに、第１の画像２８と第２の画像２９間の移動量が横方向移動単位として（式１）に基づいてデータ処理部８で計算され、結果がメモリに記憶される。
【００７０】
【数１】
横方向移動単位（ベクトル）＝（ｘ２−ｘ１，ｙ２−ｙ１）……式（１）
ここでｘ１，ｙ１とｘ２，ｙ２は、それぞれ第１の画像２８と第２の画像２９の移動位置を示している。つまり画像の横方向は概略ｘ方向に合わせてあるが、若干の誤差がある。式（１）のｙ成分はこの若干の誤差の補正に相当する。
【００７１】
尚、縦方向の移動単位も同様に求められるが、容易に推察できるので記載は省略し、式のみ記載する。
【００７２】
【数２】
縦方向移動単位（ベクトル）＝（ｘ４−ｘ３，ｙ４−ｙ３）……式（２）
ここで、第三画像の下隣を第四画像として、透過画像の境界を合わすものとし、それぞれの移動位置をｘ３，ｙ３とｘ４，ｙ４とする。
【００７３】
従って、このような構成を有する本発明の第１の実施の形態に係るＸ線透視検査装置によれば、被検体４の目的位置を容易に透過画像の視野１４に入れることが可能である。
【００７４】
また「合成画像作成」では、指定エリアサイズ値（ｍｍ）の表示を飛び飛びで変更させて指定エリアを選択するので、容易に希望する範囲を超える縦横の倍数ｎ×ｍを選択できる。
【００７５】
更に始点位置も透過画像を確認しながら（例えば、希望する範囲の左上端が透過画像の左上端にくるように）設定することができるので、確実に希望する範囲が設定できる。
【００７６】
また更に撮影は始点と縦横の倍数ｎ，ｍが入力されて行われることで、画像合成は単純な間引き合成で作製されることから、データ処理部８で容易に画像合成を行なうことができる。
【００７７】
また「移動と検査」において、最大視野を越える合成透過画像２０で被検体の（希望する範囲の）全体像を見ることができ、この合成透過画像２０上で位置指定するだけでこの位置まで容易に視野１４を移動でき、更に詳細観察を行うことができる。
【００７８】
また、移動先で拡大率を上げて観察を行っても合成透過画像２０上で次の位置を指定するだけで同じ拡大率でその位置に移動することができる。
【００７９】
更に、観察画像（ライブ画像）と合成透過画像２０がそれぞれ別のウィンドウになっているので画像の切替や配置変更が容易である。
【００８０】
また更に、合成透過画像２０上に指定した位置の履歴と現在位置が表示されるので、どの位置を検査したのか一目でわかり、検査途中でも、検査済み位置と現在位置と次の検査位置が把握でき、検査のし忘れ位置や重複検査位置が生じにくくなる。
【００８１】
また履歴を記録として残すことができるという利点がある。また更に履歴の表示と非表示を切替ることができるので、履歴が密になって合成透過画像２０が見にくいときは非表示にできる。
【００８２】
また、検査をやり直すときなど、履歴のクリアもできる。
【００８３】
「較正」においては、境界が隣接する２画像の境界での透過画像がつながるように移動させることで移動単位を得ているので、つながりのよい合成透過画像２０が作成できる。
【００８４】
また、画像の縦横と機構のｘｙ方向がずれていても移動単位を画像の縦横方向を基準に（ｘ、ｙのベクトルとして）得ているので、移動を画像の縦横方向に合わせることができ、つながりのよい合成透過画像２０が作成できる。
【００８５】
また、機構のｘ方向とｙ方向が直交していなくても、同様に画像の縦横方向を基準に移動しているので、つながりのよい合成透過画像２０が作成できる。
【００８６】
また更に、２画像の境界で、境界線にそれぞれ略４５°で交差し、互いに略直交する略直線の２つの模様がつながるように移動単位を求めているので、移動単位のｘｙ方向精度が均質になり、ｘｙ方向とも精度よく求められ、これによりつながりのよい合成透過画像２０が作成できる。
【００８７】
（第１の実施の形態の変形）
第１の実施の形態は本発明の主旨にとって本質的でない多くの部分を含む。以下内容ごとに説明する。
【００８８】
＜動きの相対性＞
拡大率変更は被検体４をＸ線ビーム２に沿った方向に移動させて行なっているが、これは本発明では本質的でなく、例えばＸ線管１やＸ線検出器３などを移動させて行なってもよい。また、視野１４のｘｙ移動も被検体４を移動させるかわりに、Ｘ線管１とＸ線検出器３にこれと等価な移動をさせてもよい。
【００８９】
＜合成範囲の入力形式＞
合成範囲は始点をティーチング入力、縦横寸法を数値入力しているが、これは本質的でなく、始点も数値入力にしてもよいし、始点、終点ともティーチング入力にしてもよい。終点（右下点）をティーチング入力する場合、始点から所定移動単位で飛び飛びに移動させて終点を選択することになる。
【００９０】
入力する合成範囲は１枚の視野サイズの縦横整数倍でなくてもよい。この場合、入力された合成範囲を包含するような整数倍の範囲を合成する。ｘｙ移動制御は、所定移動単位で縦と横に行列をなす移動位置に順次移動を行ない、各位置で透過画像を撮影しながら、縦と横それぞれ入力された合成範囲を超えたときに（その先の）移動を打ち切るようにして透過画像を撮影する。
【００９１】
＜合成範囲の自動設定＞
被検体４全体が収まる範囲を自動検出して合成範囲とすることができる。このとき被検体４は長方形をしているものとする。そこで操作者は被検体４が確実に視野に入る位置に手動でｘｙ方向移動させて、合成画像作成を開始させる。これにより画像合成部１１はこの位置を起点に縦横それぞれ所定の移動単位の行列位置で画像撮影するが、まずは左方向へ進み、画像を撮影させ、この透過画像を処理することで被検体の縁を検出し、この位置を左限とする。そして起点に戻り、次いで右方向に進み、同様に右限を求める。同様にして、起点から上に進み上限を決め、更には下に進んで下限を決める。次に、各限で制限される行列位置の残り位置で透過画像を撮影し、各透過像を合成して合成透過像を作成する。被検体４の縁の検出は予め被検体４のない状態での画像を記憶しておき、これと撮影画像とを比較して、被検体４のない領域が存在するか否かを判定することで行なう。
【００９２】
上述の合成範囲の自動設定では、合成用の透過画像を撮影しながら、その画像を用いて合成範囲を決定しているが、これに限らず、まず合成範囲の決定用の撮影を行ない、合成範囲を決定してからその範囲について合成用の透過画像の撮影を行なってもよい。
【００９３】
また、合成範囲の自動設定は、被検体４が不定形の場合でも、例えば、縁を探しながら縁に沿って移動させる等の方法で行っても可能である。
【００９４】
以上のことから合成範囲の自動設定により、合成範囲の入力を不要とすることができる。
【００９５】
＜画像合成＞
合成画像作成は必ずしも最低倍率で行なう必要はない。つまり予め倍率を定めて、移動単位が較正されている拡大率ならば可能である。
【００９６】
また合成画像作成には必ずしも撮影した１枚の透過画像の全面を用いる必要はなく、（画質が悪い）縁部分を捨てた切り貼り用の視野を用いてもよい。尚、この場合、本実施の形態でいう「最低倍率での視野の縦寸法と横寸法（縦横それぞれの移動単位）」は、この切り貼り用視野の寸法のことを指す。
【００９７】
一方合成画像は間引き縮小させているが、加算平均で縮小させるようにしてもよい。
【００９８】
また合成画像は間引き縮小させているが、間引きなしで縦横につなぎ合わせてもよい。この場合、ウィンドウ内に全部収まらなくなるが、スクロールさせて見るようにすることもできる。
【００９９】
更に合成画像を作成した元画像を記憶しておけば、合成画像の部分拡大画像を画質を損なうことなく作成して表示することができる。また、この部分拡大画像上で位置指定することも可能である。
【０１００】
また合成透過画像２０の代わりに簡易的にグラフ用紙のような格子図形を用いることもできる。これにより撮影を省略することができる。またこれは被検体（基板）４に予め縦横の寸法線が入っているような場合に、有効に用いることができる。
【０１０１】
更にデータ処理装置８に入力できる形式の被検体４の設計図などがある場合、これを合成透過画像２０の代わりに用いることができ、同様の効果をあげることができる。
【０１０２】
データ処理装置８に入力できる形式の被検体４の真上から撮影した写真があり、１画素あたりの寸法が既知であれば、これを合成透過画像２０の代わりに用いることができ、同様の効果をあげることができる。
【０１０３】
＜履歴＞
履歴としては、指定位置だけでなく、指定位置へ移動後の手動操作による移動も（例えば軌跡として）履歴に含めることができる。大まかに位置指定で移動させ、細かくは手動操作で行なうような場合は履歴としては正確である。また、視野範囲の軌跡を面で半透明塗り潰し、あるいは着色するような履歴の残し方も可能である。
【０１０４】
＜付加機能＞
本実施の形態は色々な付加動作を与えることができる。例えば合成透過画像２０上で位置指定するとき、拡大率も指定することができる。また四角形図形を用いて、位置と拡大率を同時に指定することもできる。この場合、この四角形が視野に収まるようにｘｙ位置と拡大率が自動的に設定される。
【０１０５】
また、斜め透視機能を追加することもできる。例えば、Ｘ線ビーム２が被検体４の面に斜め入射になるようにＸ線検出器３（とＸ線管１）を傾斜させる機構と、傾斜方位を変更するための被検体を面内で回転させる回転機構を追加する。この場合、合成画像作成は傾斜と回転のない状態で行ない、検査時、傾斜・回転によって生じる指定位置からの視野ずれをすべて演算して補正するようにする。これにより合成透過画像上で位置指定するだけで、傾斜・回転を行なっていても、指定位置を視野に入れることができる。
【０１０６】
【発明の効果】
本発明によれば、被検体の目的位置を容易に透過画像の視野にいれることが可能なＸ線透視検査装置及びＸ線透視検査装置の較正方法を提供することができる。
【図面の簡単な説明】
【図１】本発明の第１の実施の形態に係るＸ線透視検査装置の概略構成図である。
【図２】合成画像作成ウインドウの表示一例を示す図である。
【図３】合成画像ウィンドウの表示一例を示す図である。
【図４】較正板の一例を示す図である。
【図５】横方向較正ウィンドウの表示一例を示す図である。
【図６】第１の画像に対して第２の画像をｘｙ方向に移動して一致させる方法の具体的な図である。
【符号の説明】
１  Ｘ線管
２  Ｘ線ビーム
３  Ｘ線検出器
４  被検体
５  テーブル
６  ｘｙ機構
７  ｚ機構
８  データ処理部
９  表示部
１０  合成範囲入力部
１１  画像合成部
１２  位置指定部
１３  移動制御部
２０  合成透過画像
２１  カーソル
２４  較正板
２５  ベース板
２６，２７  銅板
２８  第１の画像
２９  第２の画像
【図１】
2004163279.tif 000003
【図２】
2004163279.tif 000004
【図３】
2004163279.tif 000005
【図４】
2004163279.tif 000006
【図５】
2004163279.tif 000007
【図６】
2004163279.tif 000008